(57)【要約】【課題】従来のエレベーターの戸開閉ボタンの表示は、２つの文字「開」と「閉」で、区別するか、同一ボタン上の２つの三角形の向きで区別する事が多いが、見分けにくい事があった。これは似た文字、図形が小さな戸開閉ボタン上に描かれる為である。【解決手段】エレベーターの戸開ボタン上に「ＯＰＥＮ」または「ひらく」の表記に加え、「開」、「拡」または「大」といった心象を想起させ、かつ公知性の高い物語、動植物または自然現象の挿絵を表示する、若しくはその様な挿絵のシールを貼りつける。  そして戸閉ボタン上に「ＣＬＯＳＥ」または「とじる」の表記に加え、「閉」、「狭」または「小」といった心象を想起させ、かつ公知性の高い物語、動植物または自然現象の挿絵を表示する、若しくはその様な挿絵のシールを貼りつける。これにより、戸開閉ボタンの識別が容易になる。【選択図】図１
2015124090.tif 000002
【特許請求の範囲】
【請求項１】
「開」、「拡」または「大」といった心象を想起させる挿絵を表示し、更に「ひらく」または「ＯＰＥＮ」の文字を併記したエレベーターの戸開ボタンと、「閉」、「狭」または「小」といった心象を想起させる挿絵を表示し、「とじる」または「ＣＬＯＳＥ」の文字も併記したエレベーターの戸閉ボタン。
挿絵としては多数の利用者が知る、物語、動植物または自然現象の中の、公知性の高い任意の一題材がとりうる、対照的な二形態を選んで戸開閉ボタンに適用する。
【請求項２】
裏面に糊状物質が付いた、薄い板、または紙形状の適宜材料に、「開」、「拡」または「大」といった心象を想起させる挿絵を表示し、加えて「ひらく」または「ＯＰＥＮ」の文字を併記して、エレベーターの戸開ボタンの上から貼れる様にしたシールと、「閉」、「狭」または「小」といった心象を想起させる挿絵を表示して、「とじる」または「ＣＬＯＳＥ」の文字も併記し、エレベーターの戸閉ボタンの上から貼れる様にしたシール。
挿絵としては多数の利用者が知る、物語、動植物または自然現象の中の、公知性の高い任意の一題材がとりうる、対照的な二形態を選んで戸開閉ボタン用シールに適用する。
【発明の詳細な説明】
【技術分野】
【０００１】  本発明はエレベーターかご操作盤上の、エレベーターの戸開閉ボタンに関する。
【背景技術】
【０００２】  従来のエレベーターのかご操作盤上には、閉じつつある戸を反転させて開いたり、開いた状態を保持する戸開ボタンと、戸が閉まるのを早める戸閉ボタンが併設されている。
その戸開ボタンには「開」の文字が、他方の戸閉ボタンには「閉」の文字が書かれている、あるいは戸開ボタンに頂点が外向きに隣接する２つの三角形が描かれていて、戸閉ボタンには内向きに隣接する２つの三角形が描かれている事が多い。
【発明の概要】
【発明が解決しようとする課題】
【０００３】  戸開閉ボタン上の「開」の文字と、「閉」の文字は漢字の部首の「門構え」が共通しているので、「門構え」の中まで確認して区別する必要がある。
また２つの三角形の頂点が外向きか内向きかで区別する形式の戸開閉ボタンも、小さなボタンの上に２つの三角形が書かれている為、見分けにくく、押し間違える事がある。【０００４】  本発明は、このような従来の表示形態が有していた問題を解決しようとするものであり、戸開ボタンと、戸閉ボタンを識別し易くする事を目的としている。
【課題を解決するための手段】
【０００５】  本発明は上記目的達成の為の第１の解決手段として、戸開ボタンに、「開」、「拡」または「大」といった心象を想起させる挿絵を表示し、戸閉ボタンに「閉」、「狭」または「小」といった心象を想起させる挿絵を表示したものである。
加えて「ＯＰＥＮ」、「ＣＬＯＳＥ」等の英語、または「ひらく」、「とじる」等の日本語を併記し、本発明の戸開閉ボタンを初めて見る利用者にも、使用法を理解し易くする。
挿絵には多数の利用者が知る、物語、動植物または自然現象など公知性の高い題材を採用する。【０００６】  また、第２の課題解決手段は、上記の第１の解決手段と同様の表示内容の挿絵と文字を薄い板、または紙形状の適宜材料に描いて、裏面に糊状物質を付け、エレベーターの戸開閉ボタンに貼り付けるだけで表示を変えられる様に、シールにしたものである。
【発明の効果】
【０００７】  上述した様に、本発明の戸開ボタンは、「開」、「拡」または「大」といった心象を想起させる公知性の高い挿絵で表示し、戸閉ボタンは「閉」、「狭」または「小」といった心象を想起させる公知性の高い挿絵で表示するので判り易い、と言う効果を発揮する。
戸開ボタン、戸閉ボタンの各々に外観の差が大きい挿絵を選択出来て、区別もし易く、かつ現行の戸開閉ボタンの大きさと形状のまま、表面の挿絵を変えるだけで済む。
エレベーターの所有者や利用者の要望に応じて、企業、団体または地域のロゴまたは象徴から派生した挿絵を表示して、独自性を出す事も出来る。
【図面の簡単な説明】
【０００８】
【図１】本発明の植物の挿絵を描いた戸開閉ボタンの正面図。
【図２】本発明の昆虫の挿絵を描いた戸開閉ボタンの正面図。
【図３】本発明の鳥の挿絵を描いた戸開閉ボタンの正面図。
【図４】本発明の動物の挿絵を描いた戸開閉ボタンの正面図。
【図５】本発明の天体の挿絵を描いた戸開閉ボタンの正面図。
【図６】本発明の物語の挿絵を描いて、戸開閉ボタンに貼るシールの正面図と、シールを剥離紙から剥がした時の裏面斜視図。
【発明を実施するための形態】
【０００９】  以下、本発明の実施形態について、図１〜図６に示す６つの実施例に基づき説明する。
全ての場合において、従来の戸開閉ボタンと同様、言語による説明「ひらく」と「とじる」または「ＯＰＥＮ」と「ＣＬＯＳＥ」も併記するものとする。
図１は本発明の実施形態１を示す戸開閉ボタンの正面図である。
戸開ボタンに開花した植物の挿絵１を描き、戸閉ボタンに蕾状態の植物の挿絵２を描いている。
【００１０】  図２は本発明の実施形態２を示す戸開閉ボタンの正面図である。
戸開ボタンに翅を拡げた昆虫の挿絵３を描き、戸閉ボタンに翅を閉じた昆虫の挿絵４を描いている。
【００１１】  図３は本発明の実施形態３を示す戸開閉ボタンの正面図である。
戸開ボタンに翼を拡げた鳥の挿絵５を描き、戸閉ボタンに翼を閉じた鳥の挿絵６を描いている。
【００１２】  図４は本発明の実施形態４を示す戸開閉ボタンの正面図である。
戸開ボタンに開いた角が正面を向いた動物の挿絵７を描き、戸閉ボタンに開いた角が正面に向いていない動物の挿絵８を描いている。
【００１３】  図５は本発明の実施の形態を示す戸開閉ボタンの正面図である。
戸開ボタンに大きく見える状態の天体の挿絵９を描き、戸閉ボタンに小さく見える状態の天体の挿絵１０を描いている。
【００１４】  図６（ａ）は本発明の実施形態６を示す戸開閉ボタンに貼るシールを、剥離紙に固定した状態の正面図であり、図６（ｂ）はシールを剥離紙から剥がした時の裏面斜視図である。
戸開ボタンに貼るシール１１に、竹が開いた竹取物語の一場面を描き、戸閉ボタンに貼るシール１２に、竹が開く前の竹取物語の一場面を描いている。
使用時は、剥離紙１３からシール１１、１２を剥がし、シール裏面の糊状物質１４を介して戸開閉ボタンに貼る。
【符号の説明】
【００１５】１  開花した植物の挿絵を描いた、戸開ボタン
２  蕾状態の植物の挿絵を描いた、戸閉ボタン
３  翅を拡げた昆虫の挿絵を描いた、戸開ボタン
４  翅を閉じた昆虫の挿絵を描いた、戸閉ボタン
５  翼を拡げた鳥の挿絵を描いた、戸開ボタン
６  翼を閉じた鳥の挿絵を描いた、戸閉ボタン
７  開いた角が正面に向いた動物の挿絵を描いた、戸開ボタン
８  開いた角が正面に向いていない動物の挿絵を描いた、戸閉ボタン
９  大きく見える状態の天体の挿絵を描いた、戸開ボタン
１０  小さく見える状態の天体の挿絵を描いた、戸閉ボタン
１１  竹取物語の竹が開いた一場面を描いて、戸開ボタンに貼れるようにしたシール
１２  竹取物語の竹が開く前の一場面を書いて、戸閉ボタンに貼れるようにしたシール
１３  剥離紙
１４  シール裏面の糊状物質
【図１】
2015124090.tif 000003
【図２】
2015124090.tif 000004
【図３】
2015124090.tif 000005
【図４】
2015124090.tif 000006
【図５】
2015124090.tif 000007
【図６】
2015124090.tif 000008